(57)【要約】【課題】本発明は、１種類の運搬台車で運搬物量に応じて荷台の平面積を最適に可変出来る機能を有する可変容量型運搬台車を提供することを目的とするものである。【解決手段】荷台となる底板１と、手押しするハンドル３と、荷台にもなる折り畳み式横板２と、運搬時の摩擦抵抗を少なくする脚部のキャスター４とを備えた可変容量型運搬台車において、折り畳み式横板２を開閉することにより、荷台の平面積を可変出来るようにしたものである。【選択図】図１
2005186737.tif 000002
【特許請求の範囲】
【請求項１】
荷台となる底板と、手押しするハンドルと、荷台にもなる折り畳み式横板と、運搬時の摩擦抵抗を少なくする脚部のキャスターとを備え、荷台の底面積が可変となる可変容量型運搬台車。
【請求項２】
荷台での運搬物の落下を防止する手段を備えた請求項１に記載の可変容量型運搬台車。
【請求項３】
荷台での運搬物の移載を容易にするすべり手段を備えた請求項１に記載の可変容量型運搬台車。
【請求項４】
台車位置を規正するガイド手段を備えた請求項１に記載の可変容量型運搬台車。
【請求項５】
運搬物の情報を保持あるいは表示する手段を備えた請求項１に記載の可変容量型運搬台車。
【発明の詳細な説明】
【技術分野】
【０００１】
本発明は、運搬物を手押し搬送する可変容量型運搬台車に関するものである。
【背景技術】
【０００２】
従来、この種の運搬台車１０における荷台として例えば、図５、図６に示すように荷台となる底板１の平面積が一定で、固定であった（例えば、特許文献１，２参照）。
【特許文献１】特開平７−２１５２１７号公報
【特許文献２】特許第３３１４０２４号公報
【発明の開示】
【発明が解決しようとする課題】
【０００３】
しかしながら、前記従来の運搬台車では、荷台となる底板１の平面積が一定で、運搬物９の物量に応じて底板１の平面積を可変に出来なく、夫々運搬物量に応じた大きさの運搬台車が何種類も必要という課題を有していた。
【０００４】
本発明は、前記課題を解決しようとするものであり、運搬物量が変化しても１種類の運搬台車で最適な台車に運搬容量を可変出来る運搬台車を提供することが出来る。
【課題を解決するための手段】
【０００５】
前記目的を達成するために、本発明は以下の構成を有する。
【０００６】
本発明の請求項１に記載の発明は、特に、荷台となる底板と、荷台にもなる前あるいは横方向に折り畳み出来る横板とを有しており、これにより、運搬物量に応じて荷台の運搬容量を最適に可変出来るという作用効果が得られる。
【０００７】
本発明の請求項２に記載の発明は、特に、荷台端部に運搬物落下防止手段となる突起部を有しており、これにより、運搬物のすべり落下を防止するという作用効果が得られる。突起部は、折り畳みを起こす等により、水平から、凸部を設定出来る。
【０００８】
本発明の請求項３に記載の発明は、さらに、荷台にすべり手段となるすべり部を有しており、これにより、重量運搬物等を楽に荷台上をすべり移動出来るという作用効果が得られる。
【０００９】
本発明の請求項４に記載の発明は、台車端部にガイド手段となる規正突起部を有しており、これにより、運搬台車を一定方向あるいは位置へ整列規正出来るという作用効果が得られる。
【００１０】
本発明の請求項５に記載の発明は、運搬台車に情報を保持あるいは表示する手段となる情報部を有しており、これにより、運搬台車の運搬物の内容を保持あるいは表示出来るという作用効果が得られる。
【発明の効果】
【００１１】
以上のように本発明による可変容量型運搬台車によれば、１種類の運搬台車で運搬物量に応じた最適な運搬台車に可変出来、運搬容量可変という効果を有する。
【発明を実施するための最良の形態】
【００１２】
以下、実施の形態１を用いて、本発明の特に請求項１〜５に記載の発明について説明する。
【００１３】
（実施の形態１）
図１は、本発明の実施の形態１における可変容量型運搬台車１５の斜視図である。
【００１４】
本発明の可変容量型運搬台車１５は、運搬物を積載する荷台となる底板１と、荷台にもなる折り畳み式横板２と、運搬台車を押し易いハンドル３と、運搬での抵抗を少なくするキャスター４と、運搬物の荷台から落下防止機能を有する運搬物落下防止手段となる突起部２０と、運搬物を楽に荷台に移載し易くするためのすべり手段となるすべり部３０と、台車を一定方向の位置に整列規正するためのガイド手段となる規正突起部４０と、運搬物の品番・数量等の内容、行き先等の情報を保持、表示するための情報を保持あるいは表示する手段となる情報部５０とで構成されている。
【００１５】
この形態は、可変容量型運搬台車１５の折り畳み式横板２を前面、横面に全て開き、最大の荷台平面積で、最大の運搬物を積載出来る状態の例である。開閉ヒンジ５は、底板１と折り畳み式横板２の平板二枚を結合し、開閉出来る機能を有する。荷台となる平板は、開閉ヒンジ５により各々結合されている。開閉ヒンジ５により折り畳み式横板２の各平板を容易に開閉出来る作用を有する。又、平面化固定部６は、平板を平面に固定する機能を有し、平面化固定部６により、開いた折り畳み式横板２の平板を平面に固定する作用を有する。
【００１６】
これらにより、折り畳み式横板２を前あるいは横に開閉し、荷台の平面積を可変させることが出来る。
【００１７】
次に、荷台になる折り畳み式横板２において、折り曲げ等により突起部２０を設定し、運搬物の運搬中におけるすべり落下防止という作用を有するものである。又、同じく、荷台となる底板１あるいは折り畳み式横板２において、摩擦係数の小さい材質を表面に貼付けたり、ローラー等のすべり手段となるすべり部３０を設定し、運搬物を容易に移載出来る作用を有するものである。
【００１８】
最後に、運搬台車の一部、例えば、ハンドル３に表示カンバン、ＩＣメモリー等の情報を保持あるいは表示する手段となる情報部５０を設定することにより運搬台車に運搬物の品番、数量、行先等の情報を保持あるいは表示という運搬台車のインテリジェント化（情報機能化）作用を有するものである。
【００１９】
図２は、運搬台車下部の断面図であり、又、ガイド手段となる規正突起部４０と規正ガイド地上固定部４５との関係を示した例である。可変容量型運搬台車１５の左右の端部に規正突起部４０を設定し、台車を一定方向の位置に整列規正出来る作用を有するものである。規正突起部４０は、スライド等により、突起を凸部にしたり、引っ込めることで退避することが出来る。
【００２０】
（実施の形態２）
図３は、本発明の実施の形態２における可変容量型運搬台車１５の斜視図である。実施の形態１が折り畳み式横板２を前あるいは横に全部開いた状態の実施例に対して、この図３は、折り畳み式横板２を全部閉じた状態の実施例を示す。
【００２１】
すなわち、折り畳み式横板２を全部折り畳んだ状態で運搬積載可能容量が最小の状態である。
【００２２】
この形態により、折り畳み横板２の背が高いため、特に荷崩れ防止の機能が向上する特徴を有する。
【００２３】
図３において、折り畳み式ファスナー部７で折り畳み式横板２を折り畳んで固定する作用を有する。この折り畳み式ファスナー部７により、側面で折り畳み式横板２を結合出来る。
【００２４】
又、荷台の下面にもなる折り畳み式横板２には使用しない車輪に対して、例えば、平面に折り畳める折り畳み式キャスター４ｂを有し、その平板に凹部を設けることにより、そこにキャスターを収納し、凸部を無くすことが出来る。
【００２５】
（実施の形態３）
次に、図４は、本発明の実施の形態３における可変容量型運搬台車１５の折り畳み式横板２を左右に開いた状態の実施例を示す。
【００２６】
図４において、前板固定部８を台車左右に設定し、折り畳み式横板２の前面板を一定角度に固定する作用を有する。前板固定部８の角度は、０〜１８０度に可変出来る機能を有し、それにより折り畳み式横板２の前面板を斜めに、又は、水平に設定出来る。この形態により、横長の運搬物も可変容量型運搬台車に積載出来る特徴を有する。
【産業上の利用可能性】
【００２７】
本発明にかかる可変容量型運搬台車は、１種類の運搬台車で運搬物量に応じた最適な運搬台車に可変することが出来るという効果を有し、運搬物を手押し搬送する運搬台車などの用途として有用である。
【図面の簡単な説明】
【００２８】
【図１】本発明の実施の形態１における可変容量型運搬台車の斜視図
【図２】本発明の実施の形態１における可変容量型運搬台車下部の規正状態例等の断面図
【図３】本発明の実施の形態２における可変容量型運搬台車の斜視図
【図４】本発明の実施の形態３における可変容量型運搬台車の斜視図
【図５】従来の運搬台車の斜視図
【図６】従来の運搬台車での荷積み荷状態の斜視図
【符号の説明】
【００２９】
１  底板
２  折り畳み式横板
３  ハンドル
４  キャスター
４ｂ  折り畳み式キャスター
５  開閉ヒンジ
６  平面化固定部
７  折り畳み式ファスナー部
８  前板固定部
９  運搬物
１０  従来運搬台車
１５  可変容量型運搬台車
２０  突起部（運搬物落下防止手段）
３０  すべり部（すべり手段）
４０  規正突起部（ガイド手段）
４５  規正ガイド地上固定部
５０  情報部（情報を保持あるいは表示する手段）
【図１】
2005186737.tif 000003
【図２】
2005186737.tif 000004
【図３】
2005186737.tif 000005
【図４】
2005186737.tif 000006
【図５】
2005186737.tif 000007
【図６】
2005186737.tif 000008